【手続補正書】
【提出日】平成18年4月25日(2006.4.25)
【手続補正１】
【補正対象書類名】特許請求の範囲
【補正対象項目名】全文
【補正方法】変更
【補正の内容】
【特許請求の範囲】
【請求項１】
患者内の既存のまたは可能性のある組織または筋壁の欠損を修復するための埋め込み型プロテーゼであって、
前記組織または筋壁の欠損の少なくとも一部を覆うように構造され配置される埋め込み型の生物学的に適合する材料製の本体部分と、
前記本体部分から延在し、幅および厚さを備えた断面を有する少なくとも１つのテザーと、を備え、
前記幅は、前記厚さよりも大きく、
前記少なくとも１つのテザーは、前記組織または筋壁の欠損を通って延在するのに十分であり、且つ、前記本体部分が前記欠損上に位置決めされるときに前記患者の外部からアクセス可能であるのに十分である長さを有し、
前記少なくとも１つのテザーの前記長さは、少なくとも２．５インチであるプロテーゼ。
【請求項２】
前記少なくとも１つのテザーの前記長さは、少なくとも４インチである請求項１に記載のプロテーゼ。
【請求項３】
前記少なくとも１つのテザーの前記長さは、少なくとも７インチである請求項１に記載のプロテーゼ。
【請求項４】
前記少なくとも１つのテザーの前記長さは、およそ９インチである請求項１に記載のプロテーゼ。
【請求項５】
前記少なくとも１つのテザーの前記長さは、少なくとも１０インチである請求項１に記載のプロテーゼ。
【請求項６】
前記少なくとも１つのテザーの前記長さは、少なくとも１２インチである請求項１に記載のプロテーゼ。
【請求項７】
前記少なくとも１つのテザーの前記長さは、およそ１５インチである請求項１に記載のプロテーゼ。
【請求項８】
既存のまたは可能性のある組織または筋壁の欠損を修復するための埋め込み型プロテーゼであって、
前記組織または筋壁の欠損の少なくとも一部を覆うように構造され配置される埋め込み型の生物学的に適合する材料製の本体部分と、
前記本体部分から延在すると共に、前記本体部分が前記欠損上に位置決めされるときに前記組織または筋壁の欠損を通って延在するように構造され配置される少なくとも１つのテザーと、
参照場所に対する前記本体部分の位置を示すために所定の場所で前記少なくとも１つのテザーに配置されるインジケータと、
を具備するプロテーゼ。
【請求項９】
前記本体部分は、パッチを有する請求項１ないし８のいずれか一項に記載のプロテーゼ。
【請求項１０】
既存のまたは可能性のある組織または筋壁の欠損を修復するための埋め込み型プロテーゼであって、
前記組織または筋壁の欠損の少なくとも一部を覆うように構造され配置される修復ファブリック製のパッチと、
前記パッチを平坦な構成に促すように前記パッチに配置された弾力のあるサポート部材と、
組織および筋の統合を受けやすい修復ファブリック製の少なくとも１つのテザーであって、前記パッチから延在し、前記パッチが前記欠損上に位置決めされるときに前記組織または筋壁の欠損を通って延在するように構造され配置される少なくとも１つのテザーと、
を具備するプロテーゼ。
【請求項１１】
前記パッチは、修復ファブリックの少なくとも１つの層を含む請求項９又は１０に記載のプロテーゼ。
【請求項１２】
前記修復ファブリックの少なくとも１つの層は、組織および器官との接着を形成しやすい請求項１１に記載のプロテーゼ。
【請求項１３】
前記修復ファブリックの少なくとも１つの層は、組織が内部成長するのを可能にするように構造され配置される複数の隙間を含む請求項１１又は１２に記載のプロテーゼ。
【請求項１４】
組織および器官との接着を形成するのを妨げる表面バリアをさらに具備し、
前記表面バリアは、前記修復ファブリックの少なくとも１つの層の表面の少なくとも一部に配置される請求項１１ないし１３のいずれか一項に記載のプロテーゼ。
【請求項１５】
組織および器官との接着を形成するのを妨げる縁バリアをさらに具備し、
前記縁バリアは、前記パッチの周囲の少なくとも一部に配置される請求項１１ないし１４のいずれか一項に記載のプロテーゼ。
【請求項１６】
既存のまたは可能性のある組織または筋壁の欠損を修復するための埋め込み型プロテーゼであって、
前記組織または筋壁の欠損の少なくとも一部を覆うように構造され配置される修復ファブリック製のパッチであって、その間にポケットを形成するために互いに結合される修復ファブリックの第１および第２の層を含み、当該パッチを前記組織または筋壁の欠損上に位置決めするのを容易にするために、前記ポケットの内部への入口を提供するように適合されるアクセス開口を有するパッチと、
前記パッチから延在し、前記パッチが前記欠損上に位置決めされるときに前記組織または筋壁の欠損を通って延在するように構造され配置される少なくとも１つのテザーと、
を具備するプロテーゼ。
【請求項１７】
前記第１および第２の層の少なくとも一方は、組織および器官との接着を形成しやすい請求項１６に記載のプロテーゼ。
【請求項１８】
前記第１および第２の層の少なくとも一方は、組織が内部成長するのを可能にするように構造され配置される複数の隙間を有する請求項１７に記載のプロテーゼ。
【請求項１９】
前記第１および第２の層の少なくとも一方は、メッシュファブリックを含む請求項１７又は１８に記載のプロテーゼ。
【請求項２０】
前記第１および第２の層の各々は、組織および器官との接着を形成しやすい請求項１６ないし１９のいずれか一項に記載のプロテーゼ。
【請求項２１】
前記第１および第２の層の各々は、組織が内部成長するのを可能にするように構造され配置される複数の隙間を有する請求項１６ないし２０のいずれか一項に記載のプロテーゼ。
【請求項２２】
前記第１および第２の層の各々は、メッシュファブリックを含む請求項１６ないし２１のいずれか一項に記載のプロテーゼ。
【請求項２３】
組織および器官との接着を形成するのを妨げる表面バリアをさらに具備し、
前記表面バリアは、前記第１および第２の層の少なくとも一方の少なくとも一部に配置される請求項１６ないし２２のいずれか一項に記載のプロテーゼ。
【請求項２４】
組織および器官との接着を形成するのを妨げる縁バリアをさらに具備し、
前記縁バリアは、前記パッチの周囲の少なくとも一部に配置される請求項１６ないし２３のいずれか一項に記載のプロテーゼ。
【請求項２５】
前記パッチに配置された弾力のあるサポート部材をさらに具備し、
前記弾力のあるサポート部材は、前記パッチを平坦な構成に促すように構造され配置される請求項９、又は、１１ないし２４のいずれか一項に記載のプロテーゼ。
【請求項２６】
前記パッチは、周縁部を有し、
前記弾力のあるサポート部材は、前記周縁部の近傍の前記パッチの一部のまわりに延在するループを含む請求項２５に記載のプロテーゼ。
【請求項２７】
前記ループは、前記パッチ上で支持されるモノフィラメントを含む請求項２６に記載のプロテーゼ。
【請求項２８】
前記弾力のあるサポート部材は、修復ファブリックの第１および第２の層の間の前記ポケットの少なくとも一部のまわりに配置される請求項２５ないし２７のいずれか一項であって請求項１６ないし２４のいずれか一項を従属するものに記載のプロテーゼ。
【請求項２９】
前記少なくとも１つのテザーは、前記パッチが前記欠損上に位置決めされるときに前記欠損に面するように適合される前記パッチの表面から延在する請求項９ないし２８のいずれか一項に記載のプロテーゼ。
【請求項３０】
前記少なくとも１つのテザーは、厚さとその厚さよりも大きい幅とを備えたストラップ構造を有する請求項８ないし２９のいずれか一項に記載のプロテーゼ。
【請求項３１】
前記少なくとも１つのテザーは、前記組織または筋壁の欠損を通って延在するのに十分であり、且つ、前記本体部分が前記欠損上に位置決めされるときに前記患者の外部からアクセス可能であるのに十分である長さを有する請求項１ないし３０のいずれか一項に記載のプロテーゼ。
【請求項３２】
前記少なくとも１つのテザーは、組織および器官との接着を形成しやすい請求項１ないし３１のいずれか一項に記載のプロテーゼ。
【請求項３３】
前記少なくとも１つのテザーは、組織が内部成長するのを可能にするように構造され配置される複数の隙間を有する請求項３２に記載のプロテーゼ。
【請求項３４】
前記少なくとも１つのテザーは、メッシュファブリックの層を含む請求項１ないし３３のいずれか一項に記載のプロテーゼ。
【請求項３５】
前記少なくとも１つのテザーは、第１および第２のテザーを含む請求項１ないし３４のいずれか一項に記載のプロテーゼ。
【請求項３６】
前記少なくとも１つのテザーは、前記アクセス開口の対向する側部から延在する第１および第２のテザーを含む請求項３５であって請求項１６ないし２４のいずれか一項を従属するもの、又は請求項３５であって請求項２５ないし３４のいずれか一項を従属するもののうち請求項１６ないし２４のいずれか一項を従属するもの、に記載のプロテーゼ。
【請求項３７】
前記アクセス開口は、前記第１および第２の層の少なくとも一方の少なくとも一部を横切って延在するスリットを有する請求項３６に記載のプロテーゼ。
【請求項３８】
参照場所に対する前記パッチの位置を示すために所定の場所で前記少なくとも１つのテザーに配置されるインジケータをさらに具備する請求項１ないし７、又は９ないし３７のいずれか一項に記載のプロテーゼ。
【請求項３９】
前記参照場所は、カニューレの端であり、
前記所定の場所は、前記カニューレの長さに対応する請求項８又は３８に記載のプロテーゼ。
【請求項４０】
前記所定の場所は、患者内の前記本体部分の所望の挿入深さに対応する請求項８，３８又は３９に記載のプロテーゼ。
【請求項４１】
前記インジケータは、前記テザーに予め形成されている請求項８、３８，３９又は４０に記載のプロテーゼ。
【請求項４２】
前記インジケータは、対照的な色の糸を含む請求項８、３８，３９，４０又は４１に記載のプロテーゼ。
【請求項４３】
前記少なくとも１つのテザーを摺動可能に受け取るように適合された少なくとも１つのテザー開口を有するオーバーレイパッチと組み合わされる請求項１ないし４２のいずれか一項に記載のプロテーゼ。
【請求項４４】
既存のまたは可能性のある組織または筋壁の欠損を修復するための埋め込み型プロテーゼであって、
前記組織または筋壁の欠損の少なくとも一部を覆うように構造され配置される修復ファブリック製のパッチと、
前記パッチに配置された弾力のあるサポート部材であって、前記パッチを平坦な構成に促すように構造され配置される弾力のあるサポート部材と、
前記パッチから延在する少なくとも１つのストラップであって、前記パッチが前記欠損上に位置決めされるときに前記組織または筋壁の欠損を通って延在するように構造され配置され、且つ幅および厚さを備えた断面を有し、前記幅が前記厚さよりも大きい、少なくとも１つのストラップと、
を具備するプロテーゼ。
【請求項４５】
前記少なくとも１つのストラップは、組織および筋の統合を受けやすい請求項４４に記載のプロテーゼ。
【請求項４６】
前記少なくとも１つのストラップは、組織が内部成長するのを可能にするように構造され配置される複数の隙間を有する請求項４４又は４５に記載のプロテーゼ。
【請求項４７】
前記少なくとも１つのストラップは、メッシュファブリックの層を含む請求項４４ないし４６のいずれか一項に記載のプロテーゼ。
【請求項４８】
前記少なくとも１つのストラップは、第１および第２のストラップを含む請求項４４ないし４７のいずれか一項に記載のプロテーゼ。
【請求項４９】
参照場所に対する前記本体部分の位置を示すために所定の場所で前記少なくとも１つのストラップに配置されるインジケータをさらに具備する請求項４４ないし４８のいずれか一項に記載のプロテーゼ。
【請求項５０】
前記インジケータは、前記少なくとも１つのストラップに予め形成される請求項４９に記載のプロテーゼ。
【請求項５１】
前記インジケータは、対照的な色の糸を含む請求項５０に記載のプロテーゼ。
【請求項５２】
前記パッチは、周縁部を有し、
前記弾力のあるサポート部材は、前記周縁部の近傍の前記パッチの一部のまわりに延在するループを含む請求項４４ないし５１のいずれか一項に記載のプロテーゼ。
【請求項５３】
前記ループは、前記パッチ上で支持されるモノフィラメントを含む請求項５２に記載のプロテーゼ。
【請求項５４】
前記パッチは、修復ファブリックの少なくとも１つの層を含む請求項４４ないし５３のいずれか一項に記載のプロテーゼ。
【請求項５５】
前記少なくとも１つのストラップを摺動可能に受け取るように適合された少なくとも１つのストラップ開口を有するオーバーレイパッチと組み合わされる請求項４４ないし５４のいずれか一項に記載のプロテーゼ。
【請求項５６】
既存のまたは可能性のある組織または筋壁の欠損を修復するための埋め込み型プロテーゼであって、
前記組織または筋壁の欠損の少なくとも一部を覆うように構造され配置される埋め込み型の生物学的に適合する材料製の本体部分と、
前記本体部分から延在する第１および第２のストラップであって、前記本体部分が前記欠損上に位置決めされるときに前記組織または筋壁の欠損を通って延在するように構造され配置され、且つ各々が幅および厚さを備えた断面を有し、前記幅が前記厚さよりも大きい、第１および第２のストラップと、
を具備するプロテーゼ。
【請求項５７】
前記本体部分は、修復ファブリックの少なくとも１つの層を有するパッチを含む請求項５６に記載のプロテーゼ。
【請求項５８】
前記パッチに配置された弾力のあるサポート部材をさらに具備し、
前記弾力のあるサポート部材は、前記パッチを平坦な構成に促すように構造され配置される請求項５７に記載のプロテーゼ。
【請求項５９】
前記第１および第２のストラップは、前記パッチが前記欠損上に位置決めされるときに前記欠損に面するように適合される前記パッチの表面から延在する請求項５７又は５８に記載のプロテーゼ。
【請求項６０】
前記第１および第２のストラップは、第１および第２の間隔をおいて離れた接合部で、前記パッチの前記表面から延在する請求項５９に記載のプロテーゼ。
【請求項６１】
既存のまたは可能性のある組織または筋壁の欠損を修復するための埋め込み型プロテーゼであって、
前記組織および器官との接着を形成しやすい修復ファブリックの少なくとも１つの層であって、当該修復ファブリックの少なくとも１つの層が前記組織または筋壁の欠損の少なくとも一部を覆うように構造され配置され、前記組織または筋壁の欠損に面する第１の表面と、前記組織または筋壁の欠損からそれる第２の表面と、を有する修復ファブリックの少なくとも１つの層と、
前記修復ファブリックの少なくとも１つの層に配置された弾力のあるサポート部材であって、前記修復ファブリックの少なくとも１つの層を平坦な構成に促すように構造され配置される弾力のあるサポート部材と、
前記修復ファブリックの少なくとも１つの層の前記第１の表面から延在する第１および第２のストラップであって、前記修復ファブリックの少なくとも１つの層が前記欠損上に位置決めされるときに前記組織または筋壁の欠損を通り且つ前記患者の外部に延在するのに十分である長さを有する第１および第２のストラップと、を具備し、
前記第１および第２のストラップの各々は、幅および厚さを備えた断面を有し、その幅が前記厚さよりも大きいプロテーゼ。
【請求項６２】
前記第１および第２のストラップの各々の前記長さは、少なくとも２．５インチである請求項５６ないし６１のいずれか一項に記載のプロテーゼ。
【請求項６３】
前記第１および第２のストラップの各々は、組織および器官との接着を形成しやすい請求項５６ないし６２のいずれか一項に記載のプロテーゼ。
【請求項６４】
前記第１および第２のストラップの各々は、組織が内部成長するのを可能にするように構造され配置される複数の隙間を有する請求項５６ないし６３のいずれか一項に記載のプロテーゼ。
【請求項６５】
前記第１および第２のストラップの各々は、メッシュファブリックの層を含む請求項５６ないし６４のいずれか一項に記載のプロテーゼ。
【請求項６６】
参照場所に対する前記修復ファブリックの少なくとも１つの層の位置を示すために所定の場所で前記第１および第２のストラップの少なくとも一方に配置されるインジケータをさらに具備する請求項５６ないし６５のいずれか一項に記載のプロテーゼ。
【請求項６７】
前記インジケータは、前記第１および第２のストラップの少なくとも一方に予め形成される請求項６６に記載のプロテーゼ。
【請求項６８】
前記インジケータは、対照的な色の糸を含む請求項６６に記載のプロテーゼ。
【請求項６９】
前記修復ファブリックの少なくとも１つの層は、組織および器官との接着を形成しやすい請求項５７ないし６０のいずれか一項に記載のプロテーゼ。
【請求項７０】
前記修復ファブリックの少なくとも１つの層は、組織が内部成長するのを可能にするように構造され配置される複数の隙間を有する請求項６１ないし６９のいずれか一項に記載のプロテーゼ。
【請求項７１】
前記修復ファブリックの少なくとも１つの層は、メッシュファブリックの層を含む請求項６１ないし７０のいずれか一項に記載のプロテーゼ。
【請求項７２】
組織および器官との接着を形成するのを妨げる表面バリアをさらに具備し、
前記表面バリアは、前記修復ファブリックの少なくとも１つの層の表面の少なくとも一部に配置される請求項６１ないし７１のいずれか一項に記載のプロテーゼ。
【請求項７３】
組織および器官との接着を形成するのを妨げる縁バリアをさらに具備し、
前記縁バリアは、前記修復ファブリックの少なくとも１つの層の周囲の少なくとも一部に配置される請求項６１ないし７２のいずれか一項に記載のプロテーゼ。
【請求項７４】
前記修復ファブリックの少なくとも１つの層は、その間にポケットを形成するために互いに結合される第１および第２の層を含み、
前記第１および第２の層の少なくとも一方は、前記第１および第２の層を前記組織または筋壁の欠損上に位置決めするのを容易にするために、前記ポケットの内部への入口を提供するように適合されるアクセス開口を有する請求項６１ないし７３のいずれか一項に記載のプロテーゼ。
【請求項７５】
前記ポケットは、周縁部を有し、
前記弾力のあるサポート部材は、前記修復ファブリックの第１および第２の層の間に、前記ポケットの前記周縁部の少なくとも一部に沿って配置されたループを含む請求項７４のうち請求項５８又は６１を従属するものに記載のプロテーゼ。
【請求項７６】
前記アクセス開口は、前記第１および第２の層の少なくとも一方の一部を横切って延在するスリットを有する請求項７４又は７５に記載のプロテーゼ。
【請求項７７】
前記第１および第２のストラップは、前記アクセス開口の対向する側部に沿って前記第１および第２の層の少なくとも一方から延在する請求項７４ないし７６のいずれか一項に記載のプロテーゼ。
【請求項７８】
前記第１および第２のストラップを摺動可能に受け取るように適合された少なくとも第１および第２のストラップ開口を有するオーバーレイパッチと組み合わされる請求項５６ないし７７のいずれか一項に記載のプロテーゼ。